(57)【要約】【課題】無線設備を設けた移動体を有する無線通信システムで、移動体の中に存する複数の人の間で通信を行い易くする。【解決手段】移動体では、複数の通信端末５１、５２を備えており、無線通信手段５４が複数の通信端末５１、５２のうちの一つ以上の通信端末（本例では、ハンドセット５１）と外部の装置との間の無線通信処理を実行し、内部通信手段５３が複数の通信端末５１、５２のうちの二つ以上の通信端末５１、５２の間の通信処理を実行し、切替手段６１が無線通信手段５４による無線通信が行われる状態と内部通信手段５３による通信が行われる状態とを切り替える。【選択図】  図３
2008167490.tif 000002
【特許請求の範囲】
【請求項１】
移動体を有する無線通信システムにおいて、
前記移動体は、複数の通信端末と、
前記複数の通信端末のうちの一つ以上の通信端末と外部の装置との間の無線通信処理を実行する無線通信手段と、
前記複数の通信端末のうちの二つ以上の通信端末の間の通信処理を実行する内部通信手段と、
前記無線通信手段による無線通信が行われる状態と前記内部通信手段による通信が行われる状態とを切り替える切替手段と、を備えた、
ことを特徴とする無線通信システム。
【請求項２】
請求項１に記載の無線通信システムにおいて、
前記移動体では、
前記複数の通信端末は、前記移動体において互いに離隔した位置に設けられた第１の通信端末と第２の通信端末を含んでおり、
前記第１の通信端末は、前記第２の通信端末との通信を要求する第１の要求手段を有しており、
前記第２の通信端末は、前記第１の通信端末との通信を要求する第２の要求手段を有しており、
前記第１の通信端末からの要求或いは前記第２の通信端末からの要求に応じて、前記切替手段が前記内部通信手段による通信が行われる状態へ切り替え、前記内部通信手段が前記第１の通信端末と前記第２の通信端末との間の通信処理を実行する、
ことを特徴とする無線通信システム。
【請求項３】
請求項１又は請求項２に記載の無線通信システムにおいて、
前記移動体では、
前記切替手段は、デジタル信号を処理する回路から構成され、デジタル処理により前記切り替えを実行する、
ことを特徴とする無線通信システム。
【請求項４】
請求項１乃至請求項３のいずれか１項に記載の無線通信システムにおいて、
前記移動体は、前記移動体に設置された無線設備本体と、前記無線設備本体と着脱可能である携帯無線機を備え、
前記携帯無線機は、前記外部の装置との間の無線通信処理を実行する携帯無線通信手段を有しており、
前記無線設備本体と前記携帯無線機には、前記外部の装置からの呼出情報として同一の情報が設定された、
ことを特徴とする無線通信システム。
【請求項５】
移動体に設けられた通信装置により通信を行う通信方法において、
前記通信装置が有する複数の通信端末のうちの一つ以上の通信端末と外部の装置との間の無線通信処理を実行する状態と、前記複数の通信端末のうちの二つ以上の通信端末の間の通信処理を実行する状態とを切り替え、切り替えられた状態の通信処理を実行する、
ことを特徴とする通信方法。
【発明の詳細な説明】
【技術分野】
【０００１】
本発明は、無線設備を設けた移動体を有する無線通信システムなどに関し、特に、移動体の中に存する複数の人の間で通信を行い易くした無線通信システムなどに関する。
【背景技術】
【０００２】
例えば、防災デジタル無線システムの一例である消防デジタル無線システムなどでは、消防車や救急車などの車両に無線設備を搭載して、車両の中に存する人と外部の防災センタなどに存する人との間で無線により通信することが行われる（例えば、非特許文献１、２参照。）。
【０００３】
【特許文献１】特開平９−１７２６６２号公報
【非特許文献１】ＡＲＩＢ  ＳＴＤ−Ｔ６１、「狭帯域デジタル通信方式（ＳＣＰＣ／ＦＤＭＡ）」、社団法人電波産業会
【非特許文献２】ＡＲＩＢ  ＳＴＤ−Ｔ７９、「市町村デジタル移動通信システム」、社団法人電波産業会
【発明の開示】
【発明が解決しようとする課題】
【０００４】
しかしながら、上記のようなシステムでは、未だに検討が不十分なところもあり、更なる開発が要求されている。特に、車両の中に存する複数の人の間での通信について改良が必要であった。
本発明は、このような従来の事情に鑑みなされたもので、移動体の中に存する複数の人の間で通信を行い易くすることができる無線通信システムなどを提供することを目的とする。
【課題を解決するための手段】
【０００５】
上記目的を達成するため、本発明に係る無線通信システムでは、次のような構成とした。
すなわち、無線通信システムは、移動体を有する。
前記移動体は、複数の通信端末と、無線通信手段と、内部通信手段と、切替手段を備える。
前記無線通信手段は、前記複数の通信端末のうちの一つ以上の通信端末と外部の装置との間の無線通信処理を実行する。前記内部通信手段は、前記複数の通信端末のうちの二つ以上の通信端末の間の通信処理を実行する。前記切替手段は、前記無線通信手段による無線通信が行われる状態と、前記内部通信手段による通信が行われる状態とを切り替える。
【０００６】
従って、移動体において、通信端末と外部の装置との間で無線通信する状態と、通信端末同士で通信する状態とが切り替えられるため、例えば、移動体の中に存する複数の人の間で通信を行い易くすることができ、特に、消防車や救急車などで大きな効果を発揮することができる。
【０００７】
ここで、移動体としては、種々なものが用いられてもよく、例えば、消防車や救急車などの自動車や、列車や、船舶などに適用することができる。
また、複数の通信端末の数としては、種々な数が用いられてもよい。
また、それぞれの通信端末は、例えば、マイクなどの送信を行う機能と、スピーカなどの受信を行う機能との一方又は両方を有し、一例として、ハンドセットから構成される。
また、複数の通信端末は、例えば、それぞれが移動体の中の異なる位置に設置され、好ましい態様例として、移動体の中の人が直接的ではなく通信端末により他の人と通信することが必要な位置に設置される。
一例として、移動体の内部において、前方の位置に一の通信端末を設置し、後方の位置に他の通信端末を設置し、これら互いに離れた位置に存する人の間で通話などすることができる。
【０００８】
また、通信端末との間で無線通信する外部の装置としては、種々な装置が用いられてもよく、例えば、基地局装置などが用いられる。
また、外部の装置との間で同時に無線通信を行う通信端末の数としては、例えば、一つであってもよく、或いは、二つ以上であってもよく、この場合、例えば、二つ以上の通信端末のうちの一つの通信端末が送信を行い、全ての通信端末が受信を行う。
また、二つ以上の通信端末の間で通信を行う場合における通信端末の数としては、例えば、二つであってもよく、或いは、三つ以上であってもよく、この場合、例えば、三つ以上の通信端末のうちの一つの通信端末が送信を行い、全ての通信端末が受信を行う。
また、無線通信状態と内部通信状態とを切り替える処理は、例えば、人による所定の操作が受け付けられたことに応じて行われてもよく、或いは、状態を切り替えるための所定の条件が満たされたことに応じて装置により自動的に行われてもよい。
【０００９】
本発明に係る無線通信システムでは、一構成例として、前記移動体において、次のような構成とした。
すなわち、前記複数の通信端末は、前記移動体において互いに離隔した位置に設けられた第１の通信端末と第２の通信端末を含んでいる。
前記第１の通信端末では、第１の要求手段が、前記第２の通信端末との通信を要求する。
前記第２の通信端末では、第２の要求手段が、前記第１の通信端末との通信を要求する。
そして、前記第１の通信端末からの要求或いは前記第２の通信端末からの要求に応じて、前記切替手段が前記内部通信手段による通信が行われる状態へ切り替え、前記内部通信手段が前記第１の通信端末と前記第２の通信端末との間の通信処理を実行する。
【００１０】
従って、第１の通信端末から第２の通信端末との通信を開始することが可能であるとともに、第２の通信端末から第１の通信端末との通信を開始することが可能であり、移動体の内部における双方向での連絡通信を実現することができる。
ここで、通信端末から内部通信を要求する態様としては、例えば、通信端末が人から内部通信を要求するための所定の操作を受け付けて、その操作を受け付けた旨を切替手段や内部通信手段へ通知するような態様を用いることができる。
【００１１】
本発明に係る無線通信システムでは、一構成例として、前記移動体において、次のような構成とした。
すなわち、前記切替手段は、デジタル信号を処理する回路から構成され、デジタル処理により前記切り替えを実行する。
【００１２】
従って、例えばアナログ処理により切り替えを実行する場合と比べて、処理を容易化することが可能である。また、例えば、切り替えの機能をデジタル無線設備の内部に設けることにより、省スペース化を図ることも可能である。
ここで、切替手段を構成する回路としては、例えば、ＦＰＧＡ（Ｆｉｅｌｄ  Ｐｒｏｇｒａｍｍａｂｌｅ  Ｇａｔｅ  Ａｒｒａｙ）やＣＰＵ（Ｃｅｎｔｒａｌ  Ｐｒｏｃｅｓｓｉｎｇ  Ｕｎｉｔ）などを用いることができる。
【００１３】
本発明に係る無線通信システムでは、一構成例として、次のような構成とした。
すなわち、前記移動体は、前記移動体に設置された無線設備本体と、前記無線設備本体と着脱可能である携帯無線機を備える。
前記携帯無線機では、携帯無線通信手段が、前記外部の装置との間の無線通信処理を実行する。
また、前記無線設備本体と前記携帯無線機には、前記外部の装置からの呼出情報として同一の情報が設定される。
【００１４】
従って、無線設備本体と携帯無線機とが着脱可能な態様で設けられる移動体が用いられる例えば消防デジタル無線システムなどにおいて、移動体の中に存する人と外部との無線通信を行う状態と、移動体の中に存する人の間での通信を行う状態とを切り替えることができ、移動体の内部における連絡通信を実現することができる。
なお、一例として、無線設備本体に複数の通信端末や無線通信手段や内部通信手段や切替手段が備えられる。他の一例として、複数の通信端末のうちの一つ以上を携帯無線機に備えるような構成を用いることもでき、例えば、携帯無線機の送信機能及び受信機能と通信端末の機能とを共通化することが可能である。
また、無線設備本体や携帯無線機の呼出情報としては、種々な情報が用いられてもよく、例えば、電話番号の情報などが用いられる。
【００１５】
本発明は、方法として提供することも可能である。
一例として、本発明に係る通信方法では、次のような構成により、移動体に設けられた通信装置（移動局装置）により通信を行う。
すなわち、前記通信装置が有する複数の通信端末のうちの一つ以上の通信端末と外部の装置との間の無線通信処理を実行する状態と、前記複数の通信端末のうちの二つ以上の通信端末の間の通信処理を実行する状態とを切り替え、切り替えられた状態の通信処理を実行する。
【発明の効果】
【００１６】
以上説明したように、本発明に係る無線通信システムなどによると、移動体において、複数の通信端末のうちの一つ以上の通信端末と外部の装置との間の無線通信処理を実行する状態と、これら複数の通信端末のうちの二つ以上の通信端末の間の通信処理を実行する状態とを切り替えるようにしたため、例えば、移動体の中に存する複数の人の間で通信を行い易くすることができ、特に、消防車や救急車などで大きな効果を発揮することができる。
【発明を実施するための最良の形態】
【００１７】
本発明に係る実施例を図面を参照して説明する。
まず、図１及び図２を参照して、本発明を適用することが可能なシステムの一例を示す。
図１には、防災デジタル無線システムの一例である消防デジタル無線システムの構成例を示してある。
本例の消防デジタル無線システムは、操作部１１と表示部１２と記憶部１３を有する指令装置（指令卓）１と、回線制御装置（無線回線制御装置）２と、複数であるｎ個の基地局装置Ａ１〜Ａｎと、複数であるｎ個の遠隔制御器Ｂ１〜Ｂｎと、複数であるｍ個の移動局装置Ｃ１〜Ｃｍを備えている。
各移動局装置Ｃ１〜Ｃｍは、車載機２１と携帯機２２から構成されており、また、携帯機２２を置くための置台２３を有している。
【００１８】
本例の消防デジタル無線システムは、東京都など各都道府県の地域防災のために用いることができる。本例では、指令装置１や回線制御装置２は防災センタに設置されており、各基地局装置Ａ１〜Ａｎは消防署内或いはビルの上や街中や山上などの外部に設置されており、各遠隔制御器Ｂ１〜Ｂｎは消防署内に設置されており、各移動局装置Ｃ１〜Ｃｍは消防車或いは救急車などの車両に設置されている。
各車両では、例えば、車載機２１や置台２３が当該各車両に取り付けられるなどして搭載されており、携帯機２２は人により持ち運ぶことや置台２３に置くことが可能になっている。
なお、図１に示されるのと同様なシステムを複数設けて、いずれかのシステムを運用するとともに他のシステムを予備として待機させ、運用しているシステムが故障したときに予備のシステムを運用させることで全体の運用を継続させるような構成とすることも可能である。
また、基地局装置Ａ１〜Ａｎとの間で通信する配下の装置としては、例えば、固定機、半固定機、携帯機、可搬機など、種々なものが用いられてもよい。
【００１９】
本例の消防デジタル無線システムにおいて行われる動作の概要を示す。
指令装置１では、操作部１１が人（指令者）により操作されることにより各種の指示や情報を入力し、表示部１２が表示対象となる各種の情報を画面に表示出力し、メモリから構成された記憶部１３が記憶対象となる各種の情報を記憶する。
指令者は、指令装置１から配下の装置（回線制御装置２、基地局装置Ａ１〜Ａｎ、遠隔制御器Ｂ１〜Ｂｎ、移動局装置Ｃ１〜Ｃｍ）へ各種の指示を送信することができる。また、指令者は、指令装置１が配下の装置から受信した各種の情報を画面表示により見ることができる。また、必要な情報は、記憶部１３に保持される。
【００２０】
回線制御装置２は、例えば有線で指令装置１と複数の基地局装置Ａ１〜Ａｎと接続されており、これらの間の通信を中継し、また、無線回線などに関する各種の制御を行う。
各基地局装置Ａ１〜Ａｎは、通信可能な領域（エリア）に存在する移動局装置Ｃ１〜Ｃｍとの間で無線により通信し、また、有線で接続された各遠隔制御器Ｂ１〜Ｂｎとの間で通信する。
各遠隔制御器Ｂ１〜Ｂｎは、有線で接続された各基地局装置Ａ１〜Ａｎとの間で通信し、例えば、移動局装置と同様な機能を有しており、人（署員）により操作などされる。
各移動局装置Ｃ１〜Ｃｍは、当該各移動局装置Ｃ１〜Ｃｍが収容される基地局装置Ａ１〜Ａｎとの間で無線により通信する。
【００２１】
図２には、車載機２１の構成例及び携帯機２２の構成例を示してある。
車載機２１は、アンテナ３１と、無線部３２と、キー操作部３３と、表示部３４と、マイクを有するマイク部３５と、例えば２つのスピーカを有するスピーカ部３６と、メモリ３７と、携帯インタフェース３８と、制御部３９を備えている。
携帯機２２は、アンテナ４１と、無線部４２と、キー操作部４３と、表示部４４と、マイクを有するマイク部４５と、スピーカを有するスピーカ部４６と、メモリ４７と、車載インタフェース４８と、制御部４９を備えている。
ここで、車載機２１が有する内部の処理機能と携帯機２２が有する内部の処理機能は、例えばスピーカの数が異なるなどの相違はあるが、概略的には、同様である。
【００２２】
車載機２１では、無線部３２がアンテナ３１により基地局装置Ａ１〜Ａｎとの間で信号を無線送信や無線受信し、キー操作部３３が人（使用者）からのキー操作を受け付け、表示部３４が使用者に対して情報を画面に表示し、マイク部３５が使用者などにより発せられる音（音声）を入力し、スピーカ部３６が使用者に対して音（音声）を出力し、メモリ３７が例えば呼び出されるための電話番号となる呼出情報（ＩＤ情報）を記憶し、携帯インタフェース３８が携帯機２２の車載インタフェース４８との間で例えば光信号により通信し、制御部３９が各種の制御を行う。
【００２３】
同様に、携帯機２２では、無線部４２がアンテナ４１により基地局装置Ａ１〜Ａｎとの間で信号を無線送信や無線受信し、キー操作部４３が人（使用者）からのキー操作を受け付け、表示部４４が使用者に対して情報を画面に表示し、マイク部４５が使用者などにより発せられる音（音声）を入力し、スピーカ部４６が使用者に対して音（音声）を出力し、メモリ４７が例えば呼び出されるための電話番号となる呼出情報（ＩＤ情報）を記憶し、車載インタフェース４８が車載機２１の携帯インタフェース３８との間で例えば光信号により通信し、制御部４９が各種の制御を行う。
【００２４】
ここで、車載機２１のメモリ３７に記憶される呼出情報（ＩＤ情報）と携帯機２２のメモリ４７に記憶される呼出情報（ＩＤ情報）としては、同一の情報が設定される。
また、車載機２１と携帯機２２とは、携帯機２２が置台２３に置かれた状態では携帯インタフェース３８と車載インタフェース４８との間で通信することが可能であるが、例えば、携帯機２２が置台２３から取り外されて持ち運ばれる状態では携帯インタフェース３８と車載インタフェース４８との間では通信しない。
【００２５】
本例では、携帯機２２が置台２３にセットされている（置かれている）状態では、携帯機２２は特に機能せず、基地局装置Ａ１〜Ａｎからの受信や、基地局装置Ａ１〜Ａｎへの送信や、キー入力や、表示出力や、音声入力や、音声出力などは全て車載機２１により行われる。
一方、携帯機２２が置台２３から取り外された状態では、携帯機２２により基地局装置Ａ１〜Ａｎからの受信や、基地局装置Ａ１〜Ａｎへの送信や、キー入力や、表示出力や、音声入力や、音声出力などの全てが行われ、この状態では、車載機２１により基地局装置Ａ１〜Ａｎからの受信や、表示出力や、音声出力のみが行われる。つまり、車載機２１と携帯機２２とは同一の呼出情報（ＩＤ情報）が設定されており、受信は両方で同時に行うことが可能であるが、送信は片方ずつ行う構成となっている。
【００２６】
なお、置台２３から取り外された携帯機２２は、車載機２１を介さずに、基地局装置Ａ１〜Ａｎとの間で直接的に無線通信する。この点は、通常の親子電話の子機とは異なる点であると考えられる。
また、携帯機２２が置台２３にセットされた状態や置台２３から取り外された状態は、車載機２１や携帯機２２により検出されて、それぞれの制御部３９、４９によりそのときの状態に応じて実行可能な機能（或いは、実行不可能な機能）が設定される。
【００２７】
また、車載機２１では、２つのスピーカを有しており、例えば、携帯機２２が置台２３から取り外された状態では、基地局装置Ａ１〜Ａｎから携帯機２２へ送信される通話の内容を一のスピーカから音声出力するとともに、携帯機２２から基地局装置Ａ１〜Ａｎへ送信される通話の内容を他のスピーカから音声出力する。
一例として、消防車などに移動局装置Ｃ１〜Ｃｍが設けられており、当該消防車などが火災などの現場にいて、或る隊員が携帯機２２を持って当該消防車などの外部に出て活動し、他の隊員が当該消防車などの内部で待機する際に、当該他の隊員は車載機２１から出力される音声を聞くことにより、携帯機２２と基地局装置Ａ１〜Ａｎとの間で行われる通話の内容を聞くことができる。
なお、例えば、基地局装置Ａ１〜Ａｎから移動局装置Ｃ１〜Ｃｍへの下りの通信と、移動局装置Ｃ１〜Ｃｍから基地局装置Ａ１〜Ａｎへの上りの通信とでは、異なる周波数が用いられる。
【００２８】
また、基地局装置Ａ１〜Ａｎの側（例えば、指令装置１）と移動局装置Ｃ１〜Ｃｍとの間の通信としては、例えば、プレストーク通信が行われる構成が用いられてもよく、或いは、通常の携帯電話のような両方向同時通信が行われる構成が用いられてもよく、或いは、他の態様の通信が行われる構成が用いられてもよい。また、基地局装置Ａ１〜Ａｎの側から移動局装置Ｃ１〜Ｃｍへ報知のための情報を送信して、移動局装置Ｃ１〜Ｃｍが当該情報の受信に応じて当該情報を（自動的に）出力するような構成を用いることもできる。
【００２９】
消防車の場合には、例えば、プレストーク通信が用いられ、指令装置１から複数の消防車の移動局装置Ｃ１〜Ｃｍを呼び出してグループ通信（例えば、事業リンクでのグループ通信）し、このグループ内でプレストーク通信することにより、これら複数の消防車により同一の火災現場の処置を行うことができる。
救急車の場合には、例えば、通常の電話のような通信が用いられ、発話（発呼）及び受話により通話を行うことができる。
また、例えば、車載機２１と携帯機２２との間で離れた所でも無線により通信することが可能な機能を車載機２１及び携帯機２２に設けることも可能である。この場合、一例として、トンネル内などの不感地帯で携帯機２２を車両の外部に持ち出すときに、車載機２１と携帯機２２をトランシーバのように用いて互いに通話することができる。
【００３０】
以下の実施例では、消防車や救急車などの車両に設けられる移動局装置Ｃ１〜Ｃｍに適用することが可能な装置の例を示す。
概略的には、車両には、前側の席などに無線設備を設け、前側の席に第１のハンドセットを設け、後ろ側の席に第２のハンドセットを設ける。そして、前側の席に存する人が第１のハンドセットを使用し、後ろ側の席に存する人が第２のハンドセットを使用することで、これらの人の間で通話を行うことを可能とする。また、第１のハンドセット或いは第２のハンドセットと外部の基地局装置などとの間で無線により通信することを可能とする。
【００３１】
なお、第１のハンドセットは、例えば、運転席の隣の助手席に設けられる。
また、消防車や救急車では、前の席と後ろの席とが区切られていることも多く、これらの席に存する人の間で直接的に会話することが困難であることも多い。
また、ハンドセットとしては、例えば、マイクとスピーカを有するものが用いられるが、他の構成例として、マイクのみ或いはスピーカのみを用いることも可能である。
また、以下の実施例では、詳しい説明は省略するが、無線設備は、図１や図２に示されるように本体（車載機）と携帯機から構成されている。以下の実施例では、無線設備として本体（車載機）の構成例や動作例を示し、携帯機については図示や説明を省略する。
【実施例１】
【００３２】
本発明の第１実施例を説明する。
図３及び図４には、本例の移動局装置の構成例を示してある。
本例の移動局装置は、通話用のハンドセット５１と、スピーカ５２と、切替ボックス５３と、デジタル無線設備５４を備えており、同一の車両内に設置される。
本例では、車両の前部にハンドセット５１と切替ボックス５３とデジタル無線設備５４を設置してあり、当該車両の後部にスピーカ５２を設置してある。
【００３３】
ハンドセット５１は、マイク（マイクロホン）５１ａと、スピーカ５１ｂを有している。
切替ボックス５３は、切替制御用の切替スイッチ６１と、オーディオ信号用の増幅器（図示せず）を内蔵している。
デジタル無線設備５４は、Ａ／Ｄ（Ａｎａｌｏｇ  ｔｏ  Ｄｉｇｉｔａｌ）変換部７１と、Ｄ／Ａ（Ｄｉｇｉｔａｌ  ｔｏ  Ａｎａｌｏｇ）変換部７２と、音声コーデック部７３と、デジタル信号処理部７４と、送受信部７５と、アンテナ７６を有している。
【００３４】
切替スイッチ６１は、ハンドセット５１のマイク５１ａとＡ／Ｄ変換部７１とを接続する状態（図３の状態）と、ハンドセット５１のマイク５１ａとスピーカ５２とを接続する状態（図４の状態）とを切り替える。
ここで、切替スイッチ６１は、例えば、切替ボックス５３或いはハンドセット５１などに設けられたボタンなどが人により操作されることにより切り替えられてもよく、或いは、デジタル無線設備５４に設けられたＣＰＵなどの制御部（図示せず）により自動的に切り替え制御されてもよい。
【００３５】
本例の移動局装置において行われる動作の例を示す。
ハンドセット５１により無線通信を行う場合には、図３に示される経路となるように切替ボックス５３の切替スイッチ６１が設定され、ハンドセット５１のマイク５１ａとＡ／Ｄ変換部７１とが接続される。
車両の前部に存する人（使用者）は、ハンドセット５１を使用して、マイク５１ａに音声を入力し、スピーカ５１ｂから出力される音声を聞く。
この場合、ハンドセット５１のマイク５１ａに入力された音声のアナログ信号が、切替ボックス５３を介してデジタル無線設備５４に入力され、Ａ／Ｄ変換部７１によりデジタル信号へ変換され、音声コーデック部７３により音声符号化され、デジタル信号処理部７４により変調処理され、送受信部７５によりアンテナ７６から無線送信される。
また、アンテナ７６を介して送受信部７５により受信された信号（受信信号）が、デジタル信号処理部７４により復調処理され、音声コーデック部７３により復号処理され、Ｄ／Ａ変換部７２によりアナログ信号へ変換され、ハンドセット５１のスピーカ５１ｂに入力される。これにより、受信信号に含まれる音声がハンドセット５１のスピーカ５１ｂから出力される。
【００３６】
車両の前部に設置されたハンドセット５１から車両の後部に設置されたスピーカ５２に対して同一の車両内での連絡通信をする場合には、例えば車両の前部に設置された切替ボックス５３の切替スイッチ６１を人により手動操作することで、図４に示される経路となるように切替ボックス５３の切替スイッチ６１が設定され、ハンドセット５１のマイク５１ａとスピーカ５２とが接続される。
車両の前部に存する人（使用者）は、ハンドセット５１を使用して、マイク５１ａに音声を入力し、スピーカ５１ｂから出力される音声を聞く。
車両の後部に存する人（使用者）は、スピーカ５２から出力される音声を聞く。
この場合、ハンドセット５１のマイク５１ａに入力された音声のアナログ信号が、切替ボックス５３を介してスピーカ５２から出力される。これにより、車両の前部の人から車両の後部の人に対して連絡通信が行われる。
【００３７】
また、ハンドセット同士で（本例では、ハンドセット５１からスピーカ５２へ）連絡通信しているときに、デジタル無線設備５４により基地局装置などからの信号を無線受信した場合には、一例として、ハンドセット同士での通信をそのままにして、一つ以上（全てでもよい）のハンドセットにおいて音や振動や光などを出力して使用者に報知するように制御することができ、他の一例として、切替ボックス５３の切替スイッチ６１を強制的に図３に示される経路のように無線通信を行う経路へ切り替えて、ハンドセット同士での通信を切断して無線通信を有効にするように制御することができる。
【００３８】
以上のように、本例の移動局装置では、ハンドセット５１により外部の基地局装置などとの間で無線通信する状態と、車両の前部に設置されたハンドセット５１から車両の後部に設置されたスピーカ５２へ同一車両内での連絡通信をする状態とを切り替えることができ、消防車や救急車などにおける作業を効率化することができる。
【００３９】
なお、本例では、移動体として消防車や救急車などの車両が用いられており、移動体に移動局装置（通信装置）が設けられており、移動局装置は無線設備本体とそれに着脱可能な携帯無線機から構成されている（本例では、携帯無線通信手段を有する携帯無線機については図示を省略してある）。
また、本例の移動局装置では、ハンドセット５１やスピーカ５２により複数（本例では、２個）の通信端末が構成されており、無線通信状態と内部通信状態とを切り替える切替ボックス５３の切替スイッチ６１の機能により切替手段が構成されており、デジタル無線設備５４に備えられた各処理部７１〜７６の機能により無線通信手段が構成されており、切替ボックス５３を介して通信端末の間で内部通信を行う機能により内部通信手段が構成されている。また、ハンドセット５１から内部通信の要求を発する機能により要求手段が構成されている。
【実施例２】
【００４０】
本発明の第２実施例を説明する。
なお、本例では、第１実施例と同様な構成や動作については説明を省略或いは簡略化する。
図５及び図６には、本例の移動局装置の構成例を示してある。
本例の移動局装置は、通話用の第１のハンドセット８１と、通話用の第２のハンドセット８２と、切替ボックス８３と、デジタル無線設備８４を備えており、同一の車両内に設置される。
本例では、車両の前部に第１のハンドセット８１と切替ボックス８３とデジタル無線設備８４を設置してあり、当該車両の後部に第２のハンドセット８２を設置してある。
【００４１】
第１のハンドセット８１は、マイク８１ａと、スピーカ８１ｂを有している。
第２のハンドセット８２は、マイク８２ａと、スピーカ８２ｂを有している。
切替ボックス８３は、切替制御用の切替スイッチ９１〜９４と、オーディオ信号用の増幅器（図示せず）を内蔵している。
デジタル無線設備８４は、第１のＡ／Ｄ変換部１０１と、第１のＤ／Ａ変換部１０２と、第１の音声コーデック部１０３と、第２のＡ／Ｄ変換部１０４と、第２のＤ／Ａ変換部１０５と、第２の音声コーデック部１０６と、デジタル信号処理部１０７と、送受信部１０８と、アンテナ１０９を有している。
【００４２】
切替スイッチ９１〜９４は、第１のハンドセット８１のマイク８１ａと第１のＡ／Ｄ変換部１０１とを接続し且つスピーカ８１ｂと第１のＤ／Ａ変換部１０２とを接続し且つ第２のハンドセット８２のスピーカ８２ｂと第２のＤ／Ａ変換部１０５とを接続する状態（図５の状態）と、第２のハンドセット８２のマイク８２ａと第２のＡ／Ｄ変換部１０４とを接続し且つスピーカ８２ｂと第２のＤ／Ａ変換部１０５とを接続し且つ第１のハンドセット８１のスピーカ８１ｂと第１のＤ／Ａ変換部１０２とを接続する状態と、第１のハンドセット８１のマイク８１ａと第２のハンドセット８２のスピーカ８２ｂとを接続するとともに第１のハンドセット８１のスピーカ８１ｂと第２のハンドセット８２のマイク８２ａとを接続する状態（図６の状態）とを切り替える。
【００４３】
本例の移動局装置において行われる動作の例を示す。
第１のハンドセット８１により無線通信を行う場合には、図５に示される経路となるように切替ボックス８３の切替スイッチ９１〜９４が設定され、第１のハンドセット８１のマイク８１ａと第１のＡ／Ｄ変換部１０１とが接続され、第１のハンドセット８１のスピーカ８１ｂと第１のＤ／Ａ変換部１０２とが接続され、第２のハンドセット８２のスピーカ８２ｂとＤ／Ａ変換部１０５とが接続される。
この場合、第１のハンドセット８１のマイク８１ａに入力された音声のアナログ信号が、切替ボックス８３を介してデジタル無線設備８４に入力され、第１のＡ／Ｄ変換部１０１、第１の音声コーデック部１０３、デジタル信号処理部１０７、送受信部１０８を経由してアンテナ１０９から無線送信される。
【００４４】
また、アンテナ１０９を介して送受信部１０８により受信された信号（受信信号）が、デジタル信号処理部１０７、第１の音声コーデック部１０３、第１のＤ／Ａ変換部１０２を経由して第１のハンドセット８１のスピーカ８１ｂから音声出力されるとともに、デジタル信号処理部１０７、第２の音声コーデック部１０６、第２のＤ／Ａ変換部１０５を経由して第２のハンドセット８２のスピーカ８２ｂから音声出力される。
このように、本例では、受信信号に含まれる音声が、第１のハンドセット８１と第２のハンドセット８２の両方で出力され、これら両方の使用者により聞くことができる。
【００４５】
なお、第２のハンドセット８２により無線通信を行う場合についても、第１のハンドセット８１により無線通信を行う場合と同様である。
ここで、本例では、それぞれのハンドセット８１、８２には例えばプレストーク通信に用いられるプレススイッチが設けられており、使用者によりプレススイッチが押された場合にはその旨を示す情報（プレススイッチ情報）が切替ボックス８３或いはそれを制御する処理部へ通知され、プレススイッチが押された一つのハンドセットのマイクがデジタル無線設備８４のＡ／Ｄ変換部と接続されて有効となるように切替スイッチ９１、９３が切り替えられる。つまり、本例では、２個のハンドセット８１、８２のうちでプレススイッチを押した方の使用者により無線送話を行うことができる。
【００４６】
車両の前部に設置された第１のハンドセット８１から車両の後部に設置された第２のハンドセット８２に対して同一の車両内での連絡通信をする場合には、例えば車両の前部に設置された切替ボックス８３の切替スイッチ９１〜９４を人により手動操作することで、図６に示される経路となるように切替ボックス８３の切替スイッチ９１〜９４が設定され、第１のハンドセット８１のマイク８１ａと第２のハンドセット８２のスピーカ８２ｂとが接続されるとともに、第１のハンドセット８１のスピーカ８１ｂと第２のハンドセット８２のマイク８２ａとが接続される。
この場合、第１のハンドセット８１のマイク８１ａに入力された音声のアナログ信号が、切替ボックス８３を介して第２のハンドセット８２のスピーカ８２ｂから出力され、また、第２のハンドセット８２のマイク８２ａに入力された音声のアナログ信号が、切替ボックス８３を介して第１のハンドセット８１のスピーカ８１ｂから出力される。これにより、車両の前部の人と車両の後部の人との間で双方向で連絡通信が行われる。
また、同様に、車両の後部に設置された第２のハンドセット８２の使用者が所定の操作を行うことにより、車両の前部に設置された第１のハンドセット８１に対して連絡通信することが可能である。
【００４７】
以上のように、本例の移動局装置では、第１のハンドセット８１により外部の基地局装置などとの間で無線通信するとともに第２のハンドセット８２により外部からの音声を出力する状態と、第２のハンドセット８２により外部の基地局装置などとの間で無線通信するとともに第１のハンドセット８１により外部からの音声を出力する状態と、車両の前部に設置された第１のハンドセット８１と車両の後部に設置された第２のハンドセット８２との間で同一車両内での連絡通信をする状態とを切り替えることができ、消防車や救急車などにおける作業を効率化することができる。また、本例では、車両の前部に設置されたハンドセット８１からの連絡通信の開始が可能であるとともに、車両の後部に設置されたハンドセット８２からの連絡通信の開始が可能である。
【００４８】
なお、本例では、移動体として消防車や救急車などの車両が用いられており、移動体に移動局装置（通信装置）が設けられており、移動局装置は無線設備本体とそれに着脱可能な携帯無線機から構成されている（本例では、携帯無線通信手段を有する携帯無線機については図示を省略してある）。
また、本例の移動局装置では、第１のハンドセット８１や第２のハンドセット８２により複数（本例では、２個）の通信端末が構成されており、無線通信状態と内部通信状態とを切り替える切替ボックス８３の切替スイッチ９１〜９４の機能により切替手段が構成されており、デジタル無線設備８４に備えられた各処理部１０１〜１０９の機能により無線通信手段が構成されており、切替ボックス８３を介して通信端末の間で内部通信を行う機能により内部通信手段が構成されている。また、ハンドセット８１、８２から内部通信の要求を発する機能により要求手段が構成されている。
【実施例３】
【００４９】
本発明の第３実施例を説明する。
第１実施例や第２実施例で示した移動局装置では、無線通信用のデジタル無線設備５４、８４のほかに車内連絡通信切替用の切替ボックス５３、８３を設置することが必要であることから、狭い空間である車両内に設置する場合には、切替ボックスをなくした構成の方が好ましい。
【００５０】
図７及び図８には、本例の移動局装置の構成例を示してある。
本例の移動局装置は、通話用の第１のハンドセット１１１と、通話用の第２のハンドセット１１２と、デジタル無線設備１１３を備えており、同一の車両内に設置される。
本例では、車両の前部に第１のハンドセット１１１とデジタル無線設備１１３を設置してあり、当該車両の後部に第２のハンドセット１１２を設置してある。
【００５１】
第１のハンドセット１１１は、マイク１１１ａと、スピーカ１１１ｂを有している。
第２のハンドセット１１２は、マイク１１２ａと、スピーカ１１２ｂを有している。
本例では、２個のハンドセット１１１、１１２は同様な機能を有している。
デジタル無線設備１１３は、第１のＡ／Ｄ変換部１２１と、第１のＤ／Ａ変換部１２２と、第２のＡ／Ｄ変換部１２３と、第２のＤ／Ａ変換部１２４と、スイッチ制御部１２５と、第１の音声コーデック部１２６と、第２の音声コーデック部１２７と、デジタル信号処理部１２８と、送受信部１２９と、アンテナ１３０と、ＣＰＵ（Ｃｅｎｔｒａｌ  Ｐｒｏｃｅｓｓｉｎｇ  Ｕｎｉｔ）１３１を有している。
スイッチ制御部１２５は、切替制御用の切替スイッチ１４１〜１４４を有している。
ここで、スイッチ制御部１２５は、例えば、ＦＰＧＡ（Ｆｉｅｌｄ  Ｐｒｏｇｒａｍｍａｂｌｅ  Ｇａｔｅ  Ａｒｒａｙ）などの制御回路を用いて構成されている。
【００５２】
切替スイッチ１４１〜１４４は、第１のＡ／Ｄ変換部１２１及び第１のＤ／Ａ変換部１２２と第１の音声コーデック部１２６とを接続し且つ第２のＤ／Ａ変換部１２４と第２の音声コーデック部１２７とを接続する状態（図７の状態）と、第２のＡ／Ｄ変換部１２３及び第２のＤ／Ａ変換部１２４と第２の音声コーデック部１２７とを接続し且つ第１のＤ／Ａ変換部１２２と第１の音声コーデック部１２６とを接続する状態と、第１のＡ／Ｄ変換部１２１と第２のＤ／Ａ変換部１２４とを接続し且つ第１のＤ／Ａ変換部１２２と第２のＡ／Ｄ変換部１２３とを接続する状態（図８の状態）とを切り替える。
【００５３】
ここで、スイッチ制御部１２５において行われる切替スイッチ１４１〜１４４の切り替え処理は、ＣＰＵ１３１により制御される。また、このような切り替え処理は、例えば、ハンドセット１１１、１１２などに設けられた所定のボタンなどが人により操作されたことがＣＰＵ１３１に通知されたことに応じてＣＰＵ１３１により制御されてもよく、或いは、デジタル無線設備１１３に設けられたデジタル信号処理部１２８などからの受信信号に基づいてＣＰＵ１３１により制御されてもよい。
【００５４】
本例の移動局装置において行われる動作の例を示す。
第１のハンドセット１１１により無線通信を行う場合には、図７に示される経路となるようにＣＰＵ１３１によりスイッチ制御部１２５の切替スイッチ１４１〜１４４が設定され、第１のＡ／Ｄ変換部１２１と第１の音声コーデック部１２６とが接続され、第１のＤ／Ａ変換部１２２と第１の音声コーデック部１２６とが接続され、第２のＤ／Ａ変換部１２４と第２の音声コーデック部１２７とが接続される。
車両の前部に存する人（使用者）は、第１のハンドセット１１１を使用して、マイク１１１ａに音声を入力し、スピーカ１１１ｂから出力される音声を聞く。
車両の後部に存する人（使用者）は、第２のハンドセット１１２を使用して、スピーカ１１２ｂから出力される音声を聞く。
【００５５】
この場合、第１のハンドセット１１１のマイク１１１ａに入力された音声のアナログ信号が、デジタル無線設備１１３に入力され、第１のＡ／Ｄ変換部１２１によりデジタル信号へ変換され、スイッチ制御部１２５を経由して、第１の音声コーデック部１２６により音声符号化され、デジタル信号処理部１２８により変調処理され、送受信部１２９によりアンテナ１３０から無線送信される。
また、アンテナ１３０を介して送受信部１２９により受信された信号（受信信号）が、デジタル信号処理部１２８により復調処理され、そして、第１の音声コーデック部１２６により復号処理され、スイッチ制御部１２５を経由して、第１のＤ／Ａ変換部１２２によりアナログ信号へ変換され、第１のハンドセット１１１のスピーカ１１１ｂに入力されるとともに、第２の音声コーデック部１２７により復号処理され、スイッチ制御部１２５を経由して、第２のＤ／Ａ変換部１２４によりアナログ信号へ変換され、第２のハンドセット１１２のスピーカ１１２ｂに入力される。これにより、受信信号に含まれる音声が、第１のハンドセット１１１のスピーカ１１１ｂから出力されるとともに、第２のハンドセット１１２のスピーカ１１２ｂから出力される。このように、本例では、受信信号に含まれる音声が、第１のハンドセット１１１と第２のハンドセット１１２の両方で出力され、これら両方の使用者により聞くことができる。
【００５６】
なお、第２のハンドセット１１２により無線通信を行う場合についても、第１のハンドセット１１１により無線通信を行う場合と同様である。
ここで、本例では、それぞれのハンドセット１１１、１１２には例えばプレストーク通信に用いられるプレススイッチが設けられており、使用者によりプレススイッチが押された場合にはその旨を示す情報（プレススイッチ情報）がＣＰＵ１３１へ通知され、プレススイッチが押された一つのハンドセットのマイクに接続されたＡ／Ｄ変換部が音声コーデック部と接続されて有効となるように切替スイッチ１４１、１４３が切り替えられる。つまり、本例では、２個のハンドセット１１１、１１２のうちでプレススイッチを押した方の使用者により無線送話を行うことができる。
【００５７】
車両の前部に設置された第１のハンドセット１１１から車両の後部に設置された第２のハンドセット１１２に対して同一の車両内での連絡通信をする場合には、例えば第１のハンドセット１１１を人により操作することで、連絡通信を開始する要求がＣＰＵ１３１に対して伝達され、これに応じて、図８に示される経路となるようにＣＰＵ１３１によりスイッチ制御部１２５が制御される。これにより、第１のハンドセット１１１のマイク１１１ａに接続された第１のＡ／Ｄ変換部１２１と第２のハンドセット１１２のスピーカ１１２ｂに接続された第２のＤ／Ａ変換部１２４とが接続されるとともに、第１のハンドセット１１１のスピーカ１１１ｂに接続された第１のＤ／Ａ変換部１２２と第２のハンドセット１１２のマイク１１２ａに接続された第２のＡ／Ｄ変換部１２３とが接続される。
【００５８】
車両の前部に存する人（使用者）は、第１のハンドセット１１１を使用して、マイク１１１ａに音声を入力し、スピーカ１１１ｂから出力される音声を聞く。
同様に、車両の後部に存する人（使用者）は、第２のハンドセット１１２を使用して、マイク１１２ａに音声を入力し、スピーカ１１２ｂから出力される音声を聞く。
この場合、第１のハンドセット１１１のマイク１１１ａに入力された音声のアナログ信号が、第１のＡ／Ｄ変換部１２１によりデジタル信号へ変換され、スイッチ制御部１２５を経由して、第２のＤ／Ａ変換部１２４によりアナログ信号へ変換され、第２のハンドセット１１２のスピーカ１１２ｂから出力される。また、第２のハンドセット１１２のマイク１１２ａに入力された音声のアナログ信号が、第２のＡ／Ｄ変換部１２３によりデジタル信号へ変換され、スイッチ制御部１２５を経由して、第１のＤ／Ａ変換部１２２によりアナログ信号へ変換され、第１のハンドセット１１１のスピーカ１１１ｂから出力される。これにより、車両の前部の人と車両の後部の人との間で双方向で連絡通信が行われる。
また、同様に、車両の後部に設置された第２のハンドセット１１２の使用者が所定の操作を行うことにより、車両の前部に設置された第１のハンドセット１１１に対して連絡通信することが可能である。
【００５９】
また、ハンドセット１１１、１１２同士で連絡通信しているときに、デジタル無線設備１１３により基地局装置などからの信号を無線受信した場合には、一例として、ハンドセット同士での通信をそのままにして、一つ以上（全てでもよい）のハンドセットにおいて音や振動や光などを出力して使用者に報知するように制御することができ、他の一例として、スイッチ制御部１２５の切替スイッチ１４１〜１４４を強制的に図７などに示される経路のように無線通信を行う経路へ切り替えて、ハンドセット同士での通信を切断して無線通信を有効にするように制御することができる。このような制御は、本例では、ＣＰＵ１３１により行われ、基地局装置などからの無線信号を受信したことをデジタル信号処理部１２８から通知されたことに応じて行われる。
【００６０】
このように、本例の移動局装置では、マイク１１１ａ、１１２ａやスピーカ１１１ｂ、１１２ｂを有した少なくとも２個のハンドセット１１１、１１２がＡ／Ｄ変換部１２１、１２３やＤ／Ａ変換部１２２、１２４に接続されており、Ａ／Ｄ変換部１２１、１２３の出力側の経路とＤ／Ａ変換部１２２、１２４の入力側の経路を制御するスイッチ制御部１２５を備え、スイッチ制御部１２５の切替スイッチ１４１〜１４４をＣＰＵ１３１により制御することにより、複数のハンドセット１１１、１１２の間での通信を可能とする。
本例では、複数のハンドセット１１１、１１２が同一のデジタル無線設備１１３に接続された構成において、いずれかのハンドセット１１１、１１２からハンドセット間通信の起動があったことに応じて、無線通信状態からハンドセット間接続状態へ経路を切り替えることにより、複数のハンドセット１１１、１１２の間でハンドセット同士の連絡通信を行うことができる。また、本例では、いずれのハンドセット１１１、１１２からもハンドセット間通信の起動が可能であり、車両の前部或いは後部から車内での連絡通信の開始が可能である。
【００６１】
以上のように、本例の移動局装置では、第１のハンドセット１１１により外部の基地局装置などとの間で無線通信するとともに第２のハンドセット１１２により外部からの音声を出力する状態と、第２のハンドセット１１２により外部の基地局装置などとの間で無線通信するとともに第１のハンドセット１１１により外部からの音声を出力する状態と、車両の前部に設置された第１のハンドセット１１１と車両の後部に設置された第２のハンドセット１１２との間で同一車両内での連絡通信をする状態とを切り替えることができ、消防車や救急車などにおける作業を効率化することができる。また、本例では、車両の前部に設置されたハンドセット１１１からの連絡通信の開始が可能であるとともに、車両の後部に設置されたハンドセット１１２からの連絡通信の開始が可能である。
【００６２】
また、本例の移動局装置では、複数の無線通信用のハンドセット１１１、１１２が設置されたデジタル無線設備１１３において無線通信状態と車内での連絡通信状態との切り替えを行う場合に、ＣＰＵ１３１によるデジタル処理が用いられていることから、例えばアナログ処理が用いられる場合と比べて処理し易くなり、また、切替スイッチ１４１〜１４４の機能がデジタル無線設備１１３の内部に組み込まれているため、例えば第１実施例や第２実施例に示されるような切替ボックス５３、８３をなくすことができ、装置を小型化して、車内の空間を有効に利用することができる。
【００６３】
なお、本例では、移動体として消防車や救急車などの車両が用いられており、移動体に移動局装置（通信装置）が設けられており、移動局装置は無線設備本体とそれに着脱可能な携帯無線機から構成されている（本例では、携帯無線通信手段を有する携帯無線機については図示を省略してある）。
また、本例の移動局装置では、第１のハンドセット１１１や第２のハンドセット１１２により複数（本例では、２個）の通信端末が構成されており、無線通信状態と内部通信状態とを切り替えるスイッチ制御部１２５の切替スイッチ１４１〜１４４やＣＰＵ１３１の機能により切替手段が構成されており、デジタル無線設備１１３に備えられた各処理部１２１〜１３１の機能により無線通信手段が構成されており、Ａ／Ｄ変換部１２１、１２３やＤ／Ａ変換部１２２、１２４やスイッチ制御部１２５を介して通信端末の間で内部通信を行う機能により内部通信手段が構成されている。また、ハンドセット１１１、１１２から内部通信の要求を発する機能により要求手段が構成されている。
【実施例４】
【００６４】
本発明の第４実施例を説明する。
なお、本例では、第３実施例と同様な構成や動作については説明を省略或いは簡略化する。
図９及び図１０には、本例の移動局装置の構成例を示してある。
本例の移動局装置は、通話用の第１のハンドセット１５１と、通話用の第２のハンドセット１５２と、デジタル無線設備１５３を備えており、同一の車両内に設置される。
本例では、車両の前部に第１のハンドセット１５１とデジタル無線設備１５３を設置してあり、当該車両の後部に第２のハンドセット１５２を設置してある。
【００６５】
第１のハンドセット１５１は、マイク１５１ａと、スピーカ１５１ｂを有している。
第２のハンドセット１５２は、マイク１５２ａと、スピーカ１５２ｂを有している。
本例では、２個のハンドセット１５１、１５２は同様な機能を有している。
デジタル無線設備１５３は、第１のＡ／Ｄ変換部１６１と、第１のＤ／Ａ変換部１６２と、第１の音声コーデック部１６３と、第２のＡ／Ｄ変換部１６４と、第２のＤ／Ａ変換部１６５と、第２の音声コーデック部１６６と、スイッチ制御部１６７と、デジタル信号処理部１６８と、送受信部１６９と、アンテナ１７０と、ＣＰＵ１７１を有している。
スイッチ制御部１６７は、切替制御用の切替スイッチ１８１〜１８４を有している。
【００６６】
切替スイッチ１８１〜１８４は、デジタル信号処理部１６８の側における第１の音声コーデック部１６３の出力側及び入力側とデジタル信号処理部１６８とを接続し且つデジタル信号処理部１６８の側における第２の音声コーデック部１６６の入力側とデジタル信号処理部１６８とを接続する状態（図９の状態）と、デジタル信号処理部１６８の側における第２の音声コーデック部１６６の出力側及び入力側とデジタル信号処理部１６８とを接続し且つデジタル信号処理部１６８の側における第１の音声コーデック部１６３の入力側とデジタル信号処理部１６８とを接続する状態と、デジタル信号処理部１６８の側における第１の音声コーデック部１６３の出力側とデジタル信号処理部１６８の側における第２の音声コーデック部１６６の入力側とを接続し且つデジタル信号処理部１６８の側における第１の音声コーデック部１６３の入力側とデジタル信号処理部１６８の側における第２の音声コーデック部１６６の出力側とを接続する状態（図１０の状態）とを切り替える。
ここで、スイッチ制御部１６７において行われる切替スイッチ１８１〜１８４の切り替え処理は、ＣＰＵ１７１により制御される。
【００６７】
本例の移動局装置において行われる動作の例を示す。
第１のハンドセット１５１により無線通信を行う場合には、図９に示される経路となるようにＣＰＵ１７１によりスイッチ制御部１６７の切替スイッチ１８１〜１８４が設定され、デジタル信号処理部１６８の側における第１の音声コーデック部１６３の入力側及び出力側とデジタル信号処理部１６８とが接続され、デジタル信号処理部１６８の側における第２の音声コーデック部１６６の入力側とデジタル信号処理部１６８とが接続される。
【００６８】
この場合、第１のハンドセット１５１のマイク１５１ａに入力された音声のアナログ信号が、デジタル無線設備１５３に入力され、第１のＡ／Ｄ変換部１６１と第１の音声コーデック部１６３とスイッチ制御部１６７とデジタル信号処理部１６８と送受信部１６９を経由して、アンテナ１７０から無線送信される。
また、アンテナ１７０を介して送受信部１６９により受信された信号（受信信号）が、デジタル信号処理部１６８とスイッチ制御部１６７を経由して、そして、第１の音声コーデック部１６３と第１のＤ／Ａ変換部１６２を経由して第１のハンドセット１５１のスピーカ１５１ｂに入力されるとともに、第２の音声コーデック部１６６と第２のＤ／Ａ変換部１６５を経由して第２のハンドセット１５２のスピーカ１５２ｂに入力される。これにより、受信信号に含まれる音声が、第１のハンドセット１５１のスピーカ１５１ｂから出力されるとともに、第２のハンドセット１５２のスピーカ１５２ｂから出力される。
なお、第２のハンドセット１５２により無線通信を行う場合についても、第１のハンドセット１５１により無線通信を行う場合と同様である。
また、本例では、２個のハンドセット１５１、１５２のうちでプレススイッチを押した方の使用者により無線送話を行うことができるように、ＣＰＵ１７１により切替スイッチ１８１〜１８４が切り替えられる。
【００６９】
車両の前部に設置された第１のハンドセット１５１から車両の後部に設置された第２のハンドセット１５２に対して同一の車両内での連絡通信をする場合には、例えば第１のハンドセット１５１を人により操作することで、連絡通信を開始する要求がＣＰＵ１７１に対して伝達され、これに応じて、図１０に示される経路となるようにＣＰＵ１７１によりスイッチ制御部１６７が制御される。これにより、第１のハンドセット１５１のマイク１５１ａに対応した第１の音声コーデック部１６３の出力側と第２のハンドセット１５２のスピーカ１５２ｂに対応した第２の音声コーデック部１６６の入力側とが接続されるとともに、第１のハンドセット１５１のスピーカ１５１ｂに対応した第１の音声コーデック部１６３の入力側と第２のハンドセット１５２のマイク１５２ａに対応した第２の音声コーデック部１６６の出力側とが接続される。
【００７０】
この場合、第１のハンドセット１５１のマイク１５１ａに入力された音声のアナログ信号が、第１のＡ／Ｄ変換部１６１によりデジタル信号へ変換され、第１の音声コーデック部１６３により音声符号化され、スイッチ制御部１６７を経由して、第２の音声コーデック部１６６により復号処理され、第２のＤ／Ａ変換部１６５によりアナログ信号へ変換され、第２のハンドセット１５２のスピーカ１５２ｂから出力される。また、第２のハンドセット１５２のマイク１５２ａに入力された音声のアナログ信号が、第２のＡ／Ｄ変換部１６４によりデジタル信号へ変換され、第２の音声コーデック部１６６により音声符号化され、スイッチ制御部１６７を経由して、第１の音声コーデック部１６３により復号処理され、第１のＤ／Ａ変換部１６２によりアナログ信号へ変換され、第１のハンドセット１５１のスピーカ１５１ｂから出力される。これにより、車両の前部の人と車両の後部の人との間で双方向で連絡通信が行われる。
また、同様に、車両の後部に設置された第２のハンドセット１５２の使用者が所定の操作を行うことにより、車両の前部に設置された第１のハンドセット１５１に対して連絡通信することが可能である。
【００７１】
このように、本例の移動局装置では、マイク１５１ａ、１５２ａやスピーカ１５１ｂ、１５２ｂを有した少なくとも２個のハンドセット１５１、１５２がＡ／Ｄ変換部１６１、１６４やＤ／Ａ変換部１６２、１６５を介して音声コーデック部１６３、１６６に接続されており、デジタル信号処理部１６８の側における音声コーデック部１６３、１６６の入出力の経路を制御するスイッチ制御部１６７を備え、スイッチ制御部１６７の切替スイッチ１８１〜１８４をＣＰＵ１７１により制御することにより、複数のハンドセット１５１、１５２の間での通信を可能とする。
【００７２】
以上のように、本例の移動局装置では、第１のハンドセット１５１により外部の基地局装置などとの間で無線通信するとともに第２のハンドセット１５２により外部からの音声を出力する状態と、第２のハンドセット１５２により外部の基地局装置などとの間で無線通信するとともに第１のハンドセット１５１により外部からの音声を出力する状態と、車両の前部に設置された第１のハンドセット１５１と車両の後部に設置された第２のハンドセット１５２との間で同一車両内での連絡通信をする状態とを切り替えることができ、消防車や救急車などにおける作業を効率化することができる。また、本例では、車両の前部に設置されたハンドセット１５１からの連絡通信の開始が可能であるとともに、車両の後部に設置されたハンドセット１５２からの連絡通信の開始が可能である。
【００７３】
また、本例の移動局装置では、複数の無線通信用のハンドセット１５１、１５２が設置されたデジタル無線設備１５３において無線通信状態と車内での連絡通信状態との切り替えを行う場合に、ＣＰＵ１７１によるデジタル処理が用いられていることから、例えばアナログ処理が用いられる場合と比べて処理し易くなり、また、切替スイッチ１８１〜１８４の機能がデジタル無線設備１５３の内部に組み込まれているため、例えば第１実施例や第２実施例に示されるような切替ボックス５３、８３をなくすことができ、装置を小型化して、車内の空間を有効に利用することができる。
【００７４】
なお、本例では、移動体として消防車や救急車などの車両が用いられており、移動体に移動局装置（通信装置）が設けられており、移動局装置は無線設備本体とそれに着脱可能な携帯無線機から構成されている（本例では、携帯無線通信手段を有する携帯無線機については図示を省略してある）。
また、本例の移動局装置では、第１のハンドセット１５１や第２のハンドセット１５２により複数（本例では、２個）の通信端末が構成されており、無線通信状態と内部通信状態とを切り替えるスイッチ制御部１６７の切替スイッチ１８１〜１８４やＣＰＵ１７１の機能により切替手段が構成されており、デジタル無線設備１５３に備えられた各処理部１６１〜１７１の機能により無線通信手段が構成されており、Ａ／Ｄ変換部１６１、１６４やＤ／Ａ変換部１６２、１６５や音声コーデック部１６３、１６６やスイッチ制御部１６７を介して通信端末の間で内部通信を行う機能により内部通信手段が構成されている。また、ハンドセット１５１、１５２から内部通信の要求を発する機能により要求手段が構成されている。
【００７５】
ここで、第３実施例ではデジタル無線設備１１３におけるＡ／Ｄ変換部１２１、１２３及びＤ／Ａ変換部１２２、１２４と音声コーデック部１２６、１２７との間に切替スイッチ１４１〜１４４（スイッチ制御部１２５）を設けた構成例を示し、第４実施例ではデジタル無線設備１５３における音声コーデック部１６３、１６６とデジタル信号処理部１６８との間に切替スイッチ１８１〜１８４（スイッチ制御部１６７）を設けた構成例を示した。
他の構成例として、デジタル無線設備の内部においてＡ／Ｄ変換部及びＤ／Ａ変換部よりもハンドセットの側に切替スイッチの機能を設けることも可能である。この構成では、ハンドセットとＡ／Ｄ変換部及びＤ／Ａ変換部とが切替スイッチを介して接続され、ハンドセット同士での連絡通信時には複数のハンドセットの間で切替スイッチを経由して通信が行われる。
また、以上の実施例では、自動車の車両に移動局装置を搭載する場合を示したが、例えば、列車や船舶などの種々な移動体に移動局装置を搭載することも可能である。
【００７６】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００７７】
【図１】消防デジタル無線システムの構成例を示す図である。
【図２】車載機及び携帯機の構成例を示す図である。
【図３】本発明の第１実施例に係る移動局装置の構成例を示す図である。
【図４】本発明の第１実施例に係る移動局装置の構成例を示す図である。
【図５】本発明の第２実施例に係る移動局装置の構成例を示す図である。
【図６】本発明の第２実施例に係る移動局装置の構成例を示す図である。
【図７】本発明の第３実施例に係る移動局装置の構成例を示す図である。
【図８】本発明の第３実施例に係る移動局装置の構成例を示す図である。
【図９】本発明の第４実施例に係る移動局装置の構成例を示す図である。
【図１０】本発明の第４実施例に係る移動局装置の構成例を示す図である。
【符号の説明】
【００７８】
１・・指令装置、  ２・・回線制御装置、  １１・・操作部、  １２、３４、４４・・表示部、  １３・・記憶部、  ２１・・車載機、  ２２・・携帯機、  ２３・・置台、  Ａ１〜Ａｎ・・基地局装置、  Ｂ１〜Ｂｎ・・遠隔制御器、  Ｃ１〜Ｃｍ・・移動局装置、  ３１、４１・・アンテナ、  ３２、４２・・無線部、  ３３、４３・・キー操作部、  ３５、４５・・マイク部、  ３６、４６・・スピーカ部、  ３７、４７・・メモリ、  ３８・・携帯インタフェース、  ３９、４９・・制御部、  ４８・・車載インタフェース、
５１、８１、８２、１１１、１１２、１５１、１５２・・ハンドセット、  ５１ａ、８１ａ、８２ａ、１１１ａ、１１２ａ、１５１ａ、１５２ａ・・マイク、  ５１ｂ、５２、８１ｂ、８２ｂ、１１１ｂ、１１２ｂ、１５１ｂ、１５２ｂ・・スピーカ、  ５３、８３・・切替ボックス、  ５４、８４・・デジタル無線設備、  ６１、９１〜９４、１４１〜１４４、１８１〜１８４・・切替スイッチ、  ７１、１０１、１０４、１２１、１２３、１６１、１６４・・Ａ／Ｄ変換部、  ７２、１０２、１０５、１２２、１２４、１６２、１６５・・Ｄ／Ａ変換部、  ７３、１０３、１０６、１２６、１２７、１６３、１６６・・音声コーデック部、  ７４、１０７、１２８、１６８・・デジタル信号処理部、  ７５、１０８、１２９、１６９・・送受信部、  ７６、１０９、１３０、１７０・・アンテナ、  １２５、１６７・・スイッチ制御部、  １３１、１７１・・ＣＰＵ、
【図１】
2008167490.tif 000003
【図２】
2008167490.tif 000004
【図３】
2008167490.tif 000005
【図４】
2008167490.tif 000006
【図５】
2008167490.tif 000007
【図６】
2008167490.tif 000008
【図７】
2008167490.tif 000009
【図８】
2008167490.tif 000010
【図９】
2008167490.tif 000011
【図１０】
2008167490.tif 000012